(57)【要約】【課題】プランジャが局所的に摩耗することを抑制できるバルブ装置を提供する。【解決手段】通電によって磁界を発生させるコイル５３と、磁界によってコイル５３の内側を摺動する円柱状のプランジャ５６と、プランジャ５６に固定されると共に、プランジャ５６の摺動によって流体が流通する流体通路１１を開閉可能に構成され、流体からの圧力によってプランジャ５６の周方向への回転力が付与される回転力付与部４４を有するバルブ４０と、を具備する。【選択図】図３
2018059540.tif 000002
【特許請求の範囲】
【請求項１】
通電によって磁界を発生させるコイルと、
前記磁界によって前記コイルの内側を摺動する円柱状のプランジャと、
前記プランジャに固定されると共に、前記プランジャの摺動によって流体が流通する流体通路を開閉可能に構成され、前記流体からの圧力によって前記プランジャの周方向への回転力が付与される回転力付与部を有するバルブと、
を具備する、
バルブ装置。
【請求項２】
前記回転力付与部には、
前記バルブが前記流体通路を開閉すると、前記流体からの圧力によって前記回転力が付与される、
請求項１に記載のバルブ装置。
【請求項３】
前記回転力付与部は、
羽根によって構成される、
請求項１又は請求項２に記載のバルブ装置。
【請求項４】
前記回転力付与部は、
前記バルブの、前記流体通路の上流側の面に配置される、
請求項１から請求項３までのいずれか一項に記載のバルブ装置。
【請求項５】
前記回転力付与部は、
前記バルブの外縁部に配置される、
請求項１から請求項４までのいずれか一項に記載のバルブ装置。
【請求項６】
前記回転力付与部は、
前記バルブの外側に突出する、
請求項５に記載のバルブ装置。
【発明の詳細な説明】
【技術分野】
【０００１】
本発明は、通電によって磁界を発生させるコイルと、磁界によってコイルの内側を摺動する円柱状のプランジャと、プランジャの摺動によって流体が流通する流体通路を開閉するバルブと、を具備するバルブ装置の技術に関する。
【背景技術】
【０００２】
従来、通電によって磁界を発生させるコイルと、磁界によってコイルの内側を摺動する円柱状のプランジャと、プランジャの摺動によって流体が流通する流体通路を開閉するバルブと、を具備するバルブ装置の技術は公知となっている。例えば、特許文献１に記載の如くである。
【０００３】
特許文献１に記載されるプランジャ（可動コア）は、コイルと共にハウジングに収容され、ハウジングに摺動自在に支持される。プランジャは、コイルへの通電時に発生する磁界によって軸方向の一方向へ吸引（移動）されると共に、コイルへの通電停止時（非通電時）にスプリングに付勢されて軸方向の他方向へ押圧（移動）される。
【０００４】
特許文献１に記載されるプランジャは、軸方向へ往復移動する際に、常にその外周面の特定の一部がハウジングに対して摺動する（図７に示すプランジャ９５６のハウジング９１０に対する摺動部分Ｐ９参照）。このため、プランジャは、その外周面の特定の一部だけが（局所的に）摩耗し易くなってしまう。この場合、外周面の特定の一部の表面粗さが悪化して摩耗が促進されると共にフリクションが上がってしまい、バルブ装置に不具合（例えば、バルブの動作不良等）が発生し易くなってしまう可能性がある。
【先行技術文献】
【特許文献】
【０００５】
【特許文献１】特開２００２−３２３１６２号公報
【発明の概要】
【発明が解決しようとする課題】
【０００６】
本発明は、以上の如き状況を鑑みてなされたものであり、その解決しようとする課題は、プランジャが局所的に摩耗することを抑制可能なバルブ装置を提供するものである。
【課題を解決するための手段】
【０００７】
本発明の解決しようとする課題は以上の如くであり、次にこの課題を解決するための手段を説明する。
【０００８】
即ち、請求項１においては、通電によって磁界を発生させるコイルと、前記磁界によって前記コイルの内側を摺動する円柱状のプランジャと、前記プランジャに固定されると共に、前記プランジャの摺動によって流体が流通する流体通路を開閉可能に構成され、前記流体からの圧力によって前記プランジャの周方向への回転力が付与される回転力付与部を有するバルブと、を具備するものである。
【０００９】
請求項２においては、前記回転力付与部には、前記バルブが前記流体通路を開閉すると、前記流体からの圧力によって前記回転力が付与されるものである。
【００１０】
請求項３においては、前記回転力付与部は、羽根によって構成されるものである。
【００１１】
請求項４においては、前記回転力付与部は、前記バルブの、前記流体通路の上流側の面に配置されるものである。
【００１２】
請求項５においては、前記回転力付与部は、前記バルブの外縁部に配置されるものである。
【００１３】
請求項６においては、前記回転力付与部は、前記バルブの外側に突出するものである。
【発明の効果】
【００１４】
本発明の効果として、以下に示すような効果を奏する。
【００１５】
請求項１においては、プランジャが局所的に摩耗することを抑制できる。
【００１６】
請求項２においては、プランジャが局所的に摩耗することを抑制できる。
【００１７】
請求項３においては、プランジャを回転させ易くすることができる。
【００１８】
請求項４においては、プランジャを回転させ易くすることができる。
【００１９】
請求項５においては、プランジャを回転させ易くすることができる。
【００２０】
請求項６においては、プランジャを回転させ易くすることができる。
【図面の簡単な説明】
【００２１】
【図１】バルブ装置の全体的な構成を示した正面断面図。
【図２】（ａ）バルブの正面断面図。（ｂ）同じく底面図。
【図３】（ａ）バルブを下方向に移動させる様子を示した正面断面図。（ｂ）上側コア、プランジャ及び軸部のＡ１−Ａ１断面図。
【図４】（ａ）流体通路を閉塞した様子を示した正面断面図。（ｂ）上側コア、プランジャ及び軸部のＡ２−Ａ２断面図。
【図５】（ａ）第一変形例に係るバルブを示した正面断面図。（ｂ）第二変形例に係るバルブを示した正面断面図。
【図６】第三変形例に係るバルブ装置を示した正面断面図。
【図７】従来技術に係るハウジング及びプランジャの底面断面図。
【発明を実施するための形態】
【００２２】
以下では、図中の矢印Ｕ、矢印Ｄ、矢印Ｆ、矢印Ｂ、矢印Ｌ及び矢印Ｒで示した方向を、それぞれ上方向、下方向、前方向、後方向、左方向及び右方向と定義して説明を行う。
【００２３】
以下では、本発明の一実施形態に係るバルブ装置２０について説明する。
【００２４】
まず、バルブ装置２０が設置されるハウジング１０について説明する。
【００２５】
図１に示すように、ハウジング１０は、流体（例えば、潤滑油や排気ガス等）が流通する流体通路１１を形成するためのものである。流体通路１１は、ハウジング１０の下面（底面）から上方に向かって延びるように形成されると共に、当該延びた端部が右方向に延びるような正面断面視略Ｌ字状に形成される。流体通路１１は、右方向に延びた端部がハウジング１０の右面で開口する。流体は、流体通路１１の左下端部から流入し、上方向、右方向へと順に流通した後で、流体通路１１の右端部から流出する。すなわち、流体通路１１の左下部は、流体の流通方向における上流側となる。また、流体通路１１の右上部は、流体の流通方向における下流側となる。なお、図１、後述する図３及び図６においては、流体の流れを白塗りの矢印で記載している。
【００２６】
次に、図１及び図２を参照して、バルブ装置２０の構成について説明する。
【００２７】
バルブ装置２０は、流体の流通を制御するためのものである。図１に示すように、バルブ装置２０は、シート３０、バルブ４０及びソレノイド５０等を具備する。
【００２８】
シート３０は、後述するバルブ４０と当接する部材である。シート３０は、略円板状に形成され、流体通路１１の内壁に沿うように設けられる。シート３０は、流体通路１１の左下部（上流側）に配置される。シート３０は、貫通孔３１及び溝部３２を具備する。
【００２９】
貫通孔３１は、シート３０を上下に貫通する孔である。貫通孔３１は、平面視略円状に形成される。貫通孔３１には、図１に示す流体通路１１が開放された状態において、その下端部から流体が流入し、その上端部から当該流体が流出する。
【００３０】
溝部３２は、シート３０の上側面に形成される平面視略円環状の溝である。溝部３２は、貫通孔３１を囲むように形成される。溝部３２は、貫通孔３１に対して径方向に間隔を空けて（連通しないように）形成される。
【００３１】
バルブ４０は、流体通路１１を開閉する部材である。バルブ４０は、シート３０と同軸上に配置される。バルブ４０は、軸部４１、頭部４２、シール部４３及び回転力付与部４４を具備する。
【００３２】
図１及び図２に示すように、軸部４１は、略円柱状に形成される部材である。軸部４１は、その軸線方向を上下方向に向けて配置される。軸部４１は、後述するソレノイド５０のプレート５２に挿通される。軸部４１の下部は、バルブ装置２０がハウジング１０に設置される際に、ハウジング１０に形成される孔部に挿通され、流体通路１１内に配置される。軸部４１の上部は、流体通路１１の上方に配置される。
【００３３】
頭部４２は、略円板状に形成される部材である。頭部４２は、その板面（円形の面）を上下方向に向けて配置される。頭部４２は、その外径がシート３０の貫通孔３１の内径及び軸部４１の外径よりも大きくなるように形成される。頭部４２は、軸部４１の下端部に固定され、シート３０の上方に配置される。頭部４２は、シール溝４２ａを具備する。
【００３４】
シール溝４２ａは、頭部４２の下面（底面）に形成される底面視略円環状の溝である。シール溝４２ａは、その内径（内縁部の径）が貫通孔３１の内径よりも大きくなるように形成される。シール溝４２ａは、その外径（外縁部の径）が溝部３２の内径（内縁部の径）よりも小さくなるように形成される。
【００３５】
シール部４３は、シート３０とバルブ４０との間をシールするための部材である。シール部４３は、略円環状の弾性体によって構成される。シール部４３は、シール溝４２ａに嵌め合わされる。シール部４３は、その下部が頭部４２の下面から下方に突出し、シート３０の上面と当接可能に構成される。
【００３６】
回転力付与部４４は、バルブ４０に回転力を付与するための部材である。回転力付与部４４については後で詳述する。
【００３７】
図１に示すように、ソレノイド５０は、バルブ４０を駆動させるためのものである。ソレノイド５０は、ケース５１、プレート５２、コイル５３、上側コア５４、下側コア５５及びプランジャ５６を具備する。
【００３８】
ケース５１は、バルブ４０の軸部４１の上部や後述するコイル５３等を収容するための部材である。ケース５１は、その上端部が閉塞されると共にその下端部が開放される有底略筒状に形成される。
【００３９】
プレート５２は、略平板状の部材である。プレート５２は、その上面がケース５１の下端部に固定される。プレート５２は、バルブ４０の軸部４１が挿通される孔部を具備する。当該孔部には、軸部４１が上下方向に相対移動可能かつ周方向に相対回転可能に挿通される。プレート５２は、バルブ装置２０がハウジング１０に設置される際に、その下面がハウジング１０の上面に固定される。
【００４０】
コイル５３は、ボビン（不図示）に巻回される銅線によって構成される。コイル５３は、ケース５１に収容され、電源（不図示）と接続される。コイル５３には、前記電源から電流が流されることによって磁界が発生する。
【００４１】
上側コア５４は、略円柱状の磁性体によって構成される。上側コア５４は、ケース５１に収容されてコイル５３の内側に配置される。上側コア５４は、ケース５１の上部に固定される。上側コア５４は、貫通孔５４ａを具備する。
【００４２】
貫通孔５４ａは、上側コア５４を上下に貫通する孔である。貫通孔５４ａは、平面視略円状に形成される。貫通孔５４ａは、その内径がバルブ４０の軸部４１の外径よりも大きくなるように形成される。
【００４３】
下側コア５５は、略円柱状の磁性体によって構成される。下側コア５５は、ケース５１に収容されてコイル５３の内側に配置される。下側コア５５は、ケース５１の下端部に固定され、上側コア５４の下方に配置される。下側コア５５は、コイル５３が通電されて磁界が発生すると、後述するプランジャ５６を吸引する。下側コア５５は、小径孔５５ａ、大径孔５５ｂ及び段差部５５ｃを具備する。
【００４４】
小径孔５５ａは、下側コア５５の下面から上下中途部までに亘って上下方向に延びるように形成される孔である。小径孔５５ａは、平面視略円状に形成される。小径孔５５ａは、その内径がバルブ４０の軸部４１の外径と略同一となるように形成される。小径孔５５ａには、バルブ４０の軸部４１が挿通される。小径孔５５ａは、バルブ４０の軸部４１を上下方向に相対移動可能かつ周方向に相対回転可能に支持する。
【００４５】
大径孔５５ｂは、下側コア５５の上下中途部から上面までに亘って上下方向に延びるように形成される孔である。大径孔５５ｂは、平面視略円状に形成される。大径孔５５ｂは、その内径が上側コア５４の貫通孔５４ａの内径と略同一となるように形成される。
【００４６】
段差部５５ｃは、小径孔５５ａと大径孔５５ｂとの接続部分に形成される。段差部５５ｃは、その板面を上方向に向けて配置される平面視略円環状の面である。
【００４７】
プランジャ５６は、略円柱状の磁性体によって構成される。プランジャ５６は、その外径が上側コア５４の貫通孔５４ａ及び下側コア５５の大径孔５５ｂの内径と略同一となるように形成される。プランジャ５６は、その長さ（上下方向幅）が上側コア５４の長さ（上下方向幅）よりも僅かに短くなるように形成される。プランジャ５６は、上側コア５４の貫通孔５４ａに挿通されて上側コア５４（コイル５３）の内側に配置される。プランジャ５６は、上側コア５４に対して上下方向に相対移動可能かつ周方向に相対回転可能に支持される。プランジャ５６は、下側コア５５の上方に配置され、その下面が下側コア５５の段差部５５ｃと対向する。プランジャ５６は、貫通孔５６ａを具備する。
【００４８】
貫通孔５６ａは、プランジャ５６を上下に貫通する孔である。貫通孔５６ａは、平面視略円状に形成される。貫通孔５６ａは、その内径がバルブ４０の軸部４１の外径と略同一となるように形成される。貫通孔５６ａには、圧入やかしめ等によってバルブ４０の軸部４１が固定される。これにより、貫通孔５６ａは、上下方向に相対移動不能かつ周方向に相対回転不能に軸部４１を支持する。
【００４９】
次に、図１及び図２を参照して回転力付与部４４の構成について説明する。
【００５０】
回転力付与部４４は、頭部４２の下面に設けられる。回転力付与部４４は、複数の羽根４４ａを具備する。
【００５１】
羽根４４ａは、板面が適宜ねじれるように形成された板状の部材である。羽根４４ａは、頭部４２の下面に固定される。羽根４４ａは、その下端部がシール部４３の下端部よりも下方に配置される。また、羽根４４ａは、頭部４２の外縁部（頭部４２の下面のうち、径方向外側の端部やその周辺）に配置され、シール部４３よりも径方向外側に配置される。羽根４４ａは、平面視でその一部が頭部４２の外側に突出する。羽根４４ａは、シート３０の溝部３２の上方に配置される。羽根４４ａは、周方向に同一の間隔を空けて配置される。なお、図１から後述する図６までにおいては、羽根４４ａを模式的に記載している。
【００５２】
このように構成される回転力付与部４４は、ソレノイド５０によってバルブ４０が駆動されたときに、羽根４４ａの板面が流体から圧力を受ける。羽根４４ａは、当該圧力によって頭部４２（プランジャ５６）の周方向に回転しようとする。これにより、回転力付与部４４には、周方向への回転力が流体から付与される。
【００５３】
次に、図３及び図４を参照して、バルブ装置２０による流体通路１１の閉塞動作について説明する。なお、図３、後述する図６では、バルブ４０及びプランジャ５６の動きを黒塗りの矢印で記載している。また、図３（ｂ）及び図４（ｂ）では、上側コア５４の貫通孔５４ａとプランジャ５６の外周面との隙間を実際の隙間よりも大きく記載している。
【００５４】
バルブ装置２０は、図３に示すような流体通路１１を開放している状態で、前記電源を動作させてコイル５３に電流を流し、コイル５３に磁界を発生させる。これにより、プランジャ５６は、上側コア５４に対して反発すると共に下側コア５５に吸引され、下方向に移動する。このとき、プランジャ５６は、上側コア５４（貫通孔５４ａ）に対して、その外周面の一部（例えば、後端部に位置している部分）が摺動する。当該プランジャ５６の移動に伴って、バルブ４０は、プランジャ５６と共に下方向に移動（シート３０に接近）する。以下では、プランジャ５６の外周面うち、図３に示す状態において上側コア５４に対して摺動する部分を、「所定部分Ｐ」と称する。
【００５５】
プランジャ５６は、図３に示す状態から下方向に移動すると、その下部が下側コア５５の大径孔５５ｂに挿入される。その後、プランジャ５６は、上側コア５４及び下側コア５５（大径孔５５ｂ）に対して、その外周面の一部が摺動しながら下方向に移動する。
【００５６】
そして、図４に示すように、プランジャ５６は、その下面が下側コア５５の段差部５５ｃと当接する。また、バルブ４０のシール部４３は、シート３０の上面と当接し、当該当接部分をシールする。これにより、バルブ４０は、シート３０に着座して貫通孔３１を上方向へと通過していた流体の流通を遮断する。これによって、バルブ４０は、流体通路１１を閉塞する。このとき、回転力付与部４４の羽根４４ａは、その下部がシート３０の溝部３２に配置される。
【００５７】
ここで、図３に示すバルブ４０は、上方向へ流れる流体の圧力に抗って下方向に移動する。この際、羽根４４ａに流体からの圧力が作用して、回転力付与部４４に回転力が付与される。当該回転力により、バルブ４０は、下方向に移動しながら回転する。当該バルブ４０の回転に伴って、プランジャ５６は、バルブ４０と共に回転する。
【００５８】
このため、所定部分Ｐ（図３に示す状態での上側コア５４との摺動部分）は、プランジャ５６が移動するにつれて周方向に移動し、ある程度プランジャ５６が移動すると、上側コア５４及び下側コア５５に対して摺動しなくなる。これによって、バルブ装置２０は、流体通路１１を閉塞する際に、所定部分Ｐが摺動し続けることを防止できる。なお、図４では、流体通路１１を閉塞するまでバルブ４０が移動すると、所定部分Ｐがプランジャ５６の前端部（上側コア５４及び下側コア５５との摺動部分（後端部）とは反対側の端部）まで移動した例を示している。
【００５９】
以上によれば、バルブ装置２０は、プランジャ５６の上側コア５４及び下側コア５５に対する摺動部分を周方向にずらしながら、プランジャ５６を下方向に移動させることができる。このため、バルブ装置２０は、プランジャ５６を上下方向へ往復移動させる際に、常に上側コア５４及び下側コア５５に対してプランジャ５６の特定の一部（例えば、所定部分Ｐ）が摺動し続けることを抑制できる。これによって、プランジャ５６が局所的に摩耗することを抑制できる。このため、局所的に摩耗した部分の表面粗さが悪化して摩耗が促進されることを抑制できると共に、フリクションが上がることを抑制できる。これによれば、バルブ４０の動作不良等の不具合が発生することを抑制できる。
【００６０】
また、バルブ装置２０は、バルブ４０を回転させながら下方向に移動させることで、プランジャ５６と同様に、バルブ４０の軸部４１の局所的な摩耗を抑制することができる。
【００６１】
また、回転力付与部４４は、頭部４２の外縁部に配置されている。これによって、バルブ４０の中心に対して離れた位置に回転力付与部４４を配置することができるため、流体から回転力付与部４４に付与される回転力を大きくすることができる。これによれば、プランジャ５６を回転させ易くすることができる。
【００６２】
流体通路１１を閉塞した状態でコイル５３への通電が停止されると（非通電時となると）、バルブ４０は、スプリング（不図示）の付勢力によって上方向に移動される。これにより、バルブ４０は、シート３０から離間して、流体通路１１を開放する。
【００６３】
なお、流体通路１１を開放する際にも、羽根４４ａには、流体の圧力が作用して回転力が付与される。これによって、バルブ４０及びプランジャ５６は、流体通路１１を閉塞するときにも、流体通路１１を開放するときと同一方向に回転する。
【００６４】
以上の如く、本実施形態に係るバルブ装置２０は、通電によって磁界を発生させるコイル５３と、前記磁界によって前記コイル５３の内側を摺動する円柱状のプランジャ５６と、前記プランジャ５６に固定されると共に、前記プランジャ５６の摺動によって流体が流通する流体通路１１を開閉可能に構成され、前記流体からの圧力によって前記プランジャ５６の周方向への回転力が付与される回転力付与部４４を有するバルブ４０と、を具備するものである。
なお、円柱状とは、プランジャ５６の他の部材に対して摺動する部分が、当該他の部材に対して周方向に回転可能な曲面（例えば、軸方向視で略円状の面）を有する形状を指し、円筒状、上下中途部で外径が異なる段付きの円柱状及び外周面に溝が形成された円柱状等を含むものである。
【００６５】
このように構成することにより、プランジャ５６が局所的に摩耗することを抑制できる。
【００６６】
また、前記回転力付与部４４には、前記バルブ４０が前記流体通路１１を開閉すると、前記流体からの圧力によって前記回転力が付与されるものである。
【００６７】
このように構成することにより、プランジャ５６の移動を開始してから当該移動が終了するまで、他の部材（上側コア５４及び下側コア５５）に対してプランジャ５６の特定の一部が摺動し続けることを抑制できる。これによって、プランジャ５６が局所的に摩耗することを抑制できる。
【００６８】
また、前記回転力付与部４４は、羽根４４ａによって構成されるものである。
【００６９】
このように構成することにより、流体からの圧力を効率的に回転力に変換することができるため、プランジャ５６を回転させ易くすることができる。
【００７０】
また、前記回転力付与部４４は、前記バルブ４０の下面（前記流体通路１１の上流側の面）に配置されるものである。
【００７１】
このように構成することにより、バルブ４０を下方向（流体通路の上流側に向かう方向）に移動させたときに、回転力付与部４４（羽根４４ａ）に圧力が作用し易くなる。これによって、バルブ４０を下方向に移動させたときに回転力付与部４４に回転力が付与され易くなって、プランジャ５６を回転させ易くすることができる。
【００７２】
また、前記回転力付与部４４は、前記バルブ４０の外縁部に配置されるものである。
【００７３】
このように構成することにより、流体から回転力付与部４４（羽根４４ａ）に付与される回転力を大きくすることができるため、プランジャ５６を回転させ易くすることができる。
【００７４】
また、前記回転力付与部４４は、前記バルブ４０の外側に突出するものである。
【００７５】
このように構成することにより、バルブ４０の外側（例えば、図３に示す頭部４２の左方や右方）を流通する流体からの圧力によっても、回転力付与部４４（羽根４４ａ）に回転力が付与されるようになる。このため、プランジャ５６を回転させ易くすることができる。
【００７６】
また、本実施形態に係るバルブ４０は、シート３０との当接面（下面）に回転力付与部４４を設けている。このように構成することにより、回転力付与部４４（羽根４４ａ）は、シート３０とバルブ４０との隙間が狭くなった場合に、当該隙間を通り抜ける流体からの圧力によって回転力が付与されて、バルブ４０及びプランジャ５６を回転させることができる。これにより、流体通路１１の閉塞する直前にバルブ４０に大きな回転力を付与することが可能となるため、流体通路１１を閉塞する直前にプランジャ５６を回転させ易くすることができる。
【００７７】
また、本実施形態に係るシート３０は、バルブ４０との当接面に溝部３２を形成することにより、流体通路１１を閉塞するときに羽根４４ａと接触することを防止できる。これにより、バルブ４０は、シート３０との当接面に回転力付与部４４を設けた場合でも、シート３０にシール部４３を十分に押し付けることができるため、シール性が低下することを抑制できる。
【００７８】
以上、本発明の実施形態を説明したが、本発明は上記構成に限定されるものではなく、特許請求の範囲に記載された発明の範囲内で種々の変更が可能である。
【００７９】
例えば、バルブ装置２０は、弁座にバルブ４０を当接させて流体通路１１を開閉するポペット式のバルブであるものとしたが、バルブ４０の種類はこれに限定されるものではなく、軸状のスプールを駆動させて流体の流通経路を切り替えるようなスプール式のバルブであってもよい。
【００８０】
また、バルブ装置２０は、通電時に流体通路１１を閉塞するものとしたが、これに限定されるものではなく、例えば、通電時に流体通路１１を開放してもよい。
【００８１】
また、回転力付与部４４の構成は、本実施形態に限定されるものではなく、例えば、図５に示す第一変形例及び第二変形例に係る回転力付与部１４４・２４４のような構成とすることも可能である。
【００８２】
図５（ａ）に示す第一変形例に係る回転力付与部１４４は、頭部４２の上面に固定される上羽根１４４ｂを具備する点で、本実施形態に係る回転力付与部４４と相違する。このように構成することで、回転力付与部１４４には、バルブ４０が上方向に移動するとき（流体通路１１を開放するとき）に、流体から上羽根１４４ｂに圧力が作用する。これによれば、流体通路１１を開放するときに、本実施形態に係る回転力付与部４４よりも大きな回転力が回転力付与部１４４に付与されるようになるため、流体通路１１の開放時にプランジャ５６を回転させ易くすることができる。
【００８３】
図５（ｂ）に示す第二変形例に係る回転力付与部２４４は、羽根４４ａに替えて頭部４２の外周面に固定される外羽根２４４ａを具備する点で、本実施形態に係る回転力付与部４４と相違する。このように構成することでも、第一変形例に係る回転力付与部４４と同様に、流体通路１１を開放するときに本実施形態に係る回転力付与部４４よりも大きな回転力が回転力付与部２４４に付与されるようになって、流体通路１１の開放時にプランジャ５６を回転させ易くすることができる。また、バルブ４０の中心に対して最も離れた位置に回転力付与部２４４を配置することができるため、流体から回転力付与部２４４に付与される回転力をより大きくすることができ、プランジャ５６を回転させ易くすることができる。
【００８４】
また、回転力付与部４４は、第二変形例に係る上羽根１４４ｂだけを具備するものであってもよい。
【００８５】
また、回転力付与部４４が固定される部分は、頭部４２に限定されるものではなく、例えば、軸部４１等であってもよい。
【００８６】
また、回転力付与部４４は、頭部４２の外縁部に配置されるものとしたが、これに限定されるものではなく、例えば、頭部４２の中心付近（シール部４３よりも径方向内側）に配置されるものであってもよい。
【００８７】
また、回転力付与部４４は、シール部４３との干渉を防止するという観点から、シール部４３に対して径方向に離れた位置に配置されることが望ましい。
【００８８】
また、本実施形態に係る回転力付与部４４は、羽根４４ａによって構成されるものとしたが、回転力付与部４４の構成は、羽根４４ａに限定されるものではない。回転力付与部４４は、例えば、頭部４２の外周面に形成された螺旋状の溝等によって構成されるものであってもよい。
【００８９】
また、シート３０及びバルブ４０の構成は、本実施形態に限定されるものではなく、例えば、図６に示す第三変形例に係るシート３３０及びバルブ３４０のような構成とすることも可能である。
【００９０】
図６に示す第三変形例に係るシート３３０は、溝部３２を具備しない点で、本実施形態に係るシート３０と相違する。第三変形例に係るバルブ３４０は、頭部３４２がシート３３０よりも下方（上流側）に配置される点及び上面にシール部３４３が設けられる点で本実施形態に係るバルブ４０と相違する。第三変形例に係るバルブ３４０は、頭部３４２のうち、シート３３０との当接面とは反対側の面に回転力付与部４４が配置される。このため、シート３３０に溝部３２を形成することが不要となって、既存のシートを交換することなく本発明を適用可能となる。これによれば、本発明を容易に適用することができる。なお、第三変形例に係るバルブ３４０の頭部３４２の上面に回転力付与部４４を設けてもよい。
【００９１】
また、プランジャ５６は、その外周面の一部が上側コア５４及び下側コア５５に対して摺動するものとしたが、これに限定されるものではなく、適宜の部材に対してその外周面の一部が摺動してもよい。
【符号の説明】
【００９２】
２０  バルブ装置
４０  バルブ
４４  回転力付与部
５３  コイル
５６  プランジャ
【図１】
2018059540.tif 000003
【図２】
2018059540.tif 000004
【図３】
2018059540.tif 000005
【図４】
2018059540.tif 000006
【図５】
2018059540.tif 000007
【図６】
2018059540.tif 000008
【図７】
2018059540.tif 000009